【事件の表示】
　特願２００７−　１４０４６「通行監視システム」拒絶査定不服審判事件〔平成２０年　８月　７日出願公開、特開２００８−１８２４５９〕について、次のとおり審決する。
【結　論】
　本件審判の請求は、成り立たない。
【理　由】
１．手続の経緯
　本願は、平成１９年１月２４日の出願であって、平成２３年４月２７日付で拒絶の理由が通知され、平成２３年７月４日付で意見書が提出され、平成２３年７月２７日付けで拒絶の理由が通知され、平成２３年９月２７日付けで意見書が提出され、平成２４年３月２６日付で拒絶査定がなされたものである。
　本件は、上記拒絶査定を不服として平成２４年６月２２日に請求された拒絶査定不服審判である。
　
２．本願発明
　本願の特許請求の範囲の請求項１〜４に係る各発明は、特許請求の範囲、明細書及び図面の記載からみて、請求項１〜４にそれぞれ記載されるとおりのものと認められるところ、請求項１に係る発明（以下「本願発明」という。）は次のとおりである。
　
「所定の出入口の近傍領域を第１方向から撮影するカメラと、
　前記カメラの画角内において、前記第１方向とは異なる第２方向から前記出入口の近傍領域が映るように配置された鏡と、
　前記カメラによって撮影された映像内の前記鏡に映し出された第１映像に基づいて、前記出入口を通行する人物が一か複数かを判定する処理部と
を備える、通行監視システム。」
　
３．引用発明
３．１．引用例１
　これに対して、原査定の拒絶の理由に引用された特開２００４−１２４４９７号公報（以下「引用例１」という。）には図面と共に以下の記載がある。
　
「【０００１】
【発明の属する技術分野】
この発明は、所定の管理室に対する人の入退室を管理するための本人確認と連れ込み防止の機能を備えた入退室管理システムに関する。」
「【０００７】
【発明が解決しようとする課題】
ところが、前記の特許文献１、特許文献２及び特許文献３に記載のシステムでは、入退室者本人が、ＩＤカードの提示のみにより、撮影された入退室者の画像の照合のみにより、或いは、ＩＤカードや情報記録媒体の提示と、撮影された画像情報又は顔情報の照合（顔認証）の両方により本人確認を行ったとしても、入退室用扉が一旦開いてしまえば、扉の近くにいる本人以外の者の管理室への不正入退室を許してしまうことになった。つまり、本人確認を行わなかった者を管理室へ不正に連れ込むことを許してしまうことになった。」
「【０００９】
この発明は上記事情に鑑みてなされたものであって、その目的は、正規の入退室者本人以外の者の連れ込み入退室を制限して入退室管理を厳格に行うことを可能にした本人確認と連れ込み防止の機能を備えた入退室管理システムを提供することにある。」
「【００１８】
【発明の実施の形態】
［第１の実施の形態］
以下、本発明の本人確認と連れ込み防止の機能を備えた入退室管理システムを具体化した第１の実施の形態を図面を参照して詳細に説明する。」
「【００１９】
図１に、本実施の形態の入退室管理システムの概略構成図を示す。このシステムは、所定の管理室１に対する人の入退室を管理するものであり、管理室１の入退口２に設けられた戸としてのドア３を備え、そのドア３の施錠及び解錠を管理するように構成される。このシステムは、ドア用電磁錠４、ＩＤカード５、ドア用カードリーダ６、正面カメラ７、天井カメラ８、警報器９及びドア用制御端末装置１０を備える。」
「【００２０】
ドア用電磁錠４は、ドア３に対して設けられ、ドア３を施錠又は解錠するためのものであり、本発明の錠手段に相当する。この電磁錠４は、その施錠及び解錠が電気的に制御される。」
「【００２１】
ＩＤカード５は、管理室１への入退室が許可された複数の特定の者に割り当てられ、その入退室者の本人情報が予め記録される。この実施の形態で、ＩＤカード５は、非接触式カードにより構成され、本人情報が予め記録される。」
「【００２２】
ドア用カードリーダ６は、入退室者が携帯するＩＤカード５に記録された本人情報を読み取るためのものであり、本発明の本人情報読取手段に相当する。このカードリーダ６は、非接触式リーダにより構成される。このカードリーダ６は、ドア３の横の壁１１上に設置される。このカードリーダ６は、アンテナ（図示略）を含み、ＩＤカード５をそのアンテナに近付けることにより、ＩＤカード５に記録された本人情報をアンテナで受信して非接触で読み取るようになっている。このカードリーダ６には、本人情報の読み取りエラーを点灯表示するための表示器１２が設けられる。」
「【００２３】
正面カメラ７は、ドア用カードリーダ６に隣接して壁１１上に設けられる。天井カメラ８は、入退口２の前の天井１３に設置される。図２に、正面カメラ７及び天井カメラ８の配置と撮影領域を概念図に示す。正面カメラ７は、その正面の所定領域を撮影するように構成される。従って、この正面カメラ７により、入退室者１４の身体を正面から撮影することができ、このカメラ７に入退室者１４が近付けば、その顔を撮影できるように構成される。この実施の形態で、正面カメラ７は、入退室者１４の身体情報としての顔情報を入力するための本発明の身体情報入力手段に相当する。天井カメラ８は、その下方の所定領域を撮影するように構成される。従って、天井カメラ８により、入退室者１４の身体をその上方から撮影できるように構成される。この実施の形態では、正面カメラ７及び天井カメラ８が、入退口２の前に位置する人影を撮影するための本発明の人影撮影手段に相当する。即ち、この実施の形態で、人影撮影手段は、入退口２の付近の壁１１上に配置された一つの撮影機である正面カメラ７と、入退口２の前の上方に配置された一つの撮影機である天井カメラ８とを含んで構成される。ここで、正面カメラ７及び天井カメラ８には、例えば、ＣＣＤカメラやＣ−ＭＯＳカメラを使用することができる。天井カメラ８には、赤外線（近赤外線、遠赤外線）カメラを使用することもできる。」
「【００２７】
図３に、この入退室管理システムの電気的構成をブロック図に示す。ドア用制御端末装置１０は、イーサネット（登録商標）３１に接続される。イーサネット（登録商標）３１には、データベース３２及び入退室等の履歴管理装置３３が更に接続される。そして、これらドア用制御端末装置１０、データベース３２及び履歴管理装置３３が、イーサネット（登録商標）３１により互いに接続されることにより、ローカル・エリア・ネットワーク（ＬＡＮ）が構成される。即ち、ＬＡＮを構成するドア用制御端末装置１０、イーサネット（登録商標）３１、データベース３２及び履歴管理装置３３により入退室管理システムが構成される。」
「【００３１】
ここで、ドア用制御端末装置１０は、ドア用カードリーダ６によりＩＤカード５の本人情報が読み取られたとき、その本人情報に対応する身体情報としての顔情報をデータベース３２から検索し、その検索された顔情報と正面カメラ７により撮影された顔情報とを照合するように構成され、本発明の身体情報照合手段に相当する。同じく、この制御端末装置１０は、正面カメラ７及び天井カメラ８により撮影された人影の数を認定するように構成され、本発明の人影数認定手段に相当する。更に、この制御端末装置１０は、上記顔情報の照合結果が一致し、且つ、上記認定された人影が一つであることにより入退室者１４が本人一人であることを判断したとき、ドア３を解錠するためにドア用電磁錠４を制御するように構成され、本発明の解錠制御手段に相当する。加えて、この制御端末装置１０は、制御によりドア３が解錠された後に、制御により認定される人影が二つ以上であることにより入退室者１４が二人以上であることを判断したとき、管理室１に対する不正入退室であるとしてそれを警報するために警報器９を制御するように構成され、本発明の警報制御手段に相当する。」
「【００４７】
ここで、ステップ１７０（ステップ２１０）の人影数認定のための処理内容について詳しく説明する。図５に、この処理プログラムをフローチャートに示す。」
「【００４８】
処理がステップ１７０へ移行すると、先ず、ステップ１７１で、端末装置１０は、背景差分によりシルエット画像を生成する。即ち、正面カメラ７及び天井カメラ８により事前に取得した背景画像と、各カメラ７，８により撮影される現フレームの画像の差分を取る。そして、この差分画像に対し、撮影環境により定めた閾値により２値化を行い、人物のシルエット画像を生成する。」
「【００４９】
次に、ステップ１７２で、端末装置１０は、カメラ２台から視体積交差による投票を行う。即ち、正面カメラ７及び天井カメラ８により撮影された画像から視体積交差を行いボクセル空間に投票を行う。」
『【００５０】
図６に視体積交差の原理図を示す。図６に示すように、各カメラによって得られる画像は、カメラ位置からの投影である。従って、カメラ位置を基にシルエット画像から逆投影（ボクセル空間への投票）を行うことで、交差する位置に物体の復元を行うことができる。ここで、ボクセル空間において、何も投票されないボクセルは「０」、１台のカメラからのみ投票されるボクセルは「１」、２台のカメラから投票されるボクセルは「２」の値を持つことになる。』
『【００５１】
次に、ステップ１７３で、端末装置１０は、閾値処理による雑音除去を行う。即ち、閾値以下の値のボクセルを削除する（値を「０」にする）ことで、背景差分時の雑音やオクルージョン（隠れ）による連結雑音の除去を行う。』
『【００５２】
ここで、２台のカメラのシルエット画像から交差するボクセルを有効とするため、閾値は「１」となり、値「２」のボクセルのみが残ることになる。尚、撮影範囲のサイズとボクセル空間の分解能によって、閾値は変動する可能性もある。』
『【００５３】
図７，８に、本実施の形態のカメラ配置例を示す。図９に、本実施の形態の正面カメラ撮影画像例を示す。図１０に、本実施の形態の天井カメラ撮影画像例を示す。図１１に、本実施の形態の視体積交差例を示す。本実施の形態の場合、正面カメラ７の画像のみでは、人物同士の重なりによるオクルージョン（隠れ）が発生してしまい、人数のカウントが不可能になる。正面カメラ７及び天井カメラ８による２台のカメラから視体積交差を行うことで、図１１に濃淡領域で示すように、天井カメラ８からの投票から、交差する部分は値「２」となり、閾値処理で値「１」の連結雑音を消去することにより、人物の区分ができ、人影数のカウントが可能となる。』
『【００５４】
次に、ステップ１７４で、端末装置１０は、ラベリングによるブロック分割を行う。即ち、ボクセル空間において、値「２」のボクセルの３次元的なラベル付けを行い、固まり（ブロック）に分ける。』
『【００５５】
次に、ステップ１７５で、端末装置１０は、面積によるブロック分離を行う。即ち、撮影範囲（カメラ設置場所に依存）、ボクセル空間分解能に従い、事前に人物の基準サイズを定めておく。そして、基準サイズを大きく下回るブロックは雑音として削除する（値を「０」にする）。又、基準サイズを大きく上回るブロックは、２名以上もしくは荷物を持っているものと判断する。このとき、形状によって分離できるものはブロックの分離を行い、別のラベルを付ける。』
「【００５６】
最後に、ステップ１７６で、端末装置１０は、人影数確認を行う。即ち、単一フレームのみの処理では、環境光の影響から誤検出の可能性もあるため、以上の処理を一定時間行い、検出ブロックの平均数を最終的な検出人影数とする。その際、前フレームのブロック検出位置を基準に追跡を行うことで、各ブロックの存在フレーム数をカウントし、これを基にブロック数の平均を求める。」
「【００５９】
この実施の形態では、管理室１の入退口２の前に位置する人影を撮影するために、正面カメラ７と天井カメラ８が使用される。このため、単に２台のカメラを使用するだけで、人物同士の重なりによるオクルージョン（隠れ）等の雑音を排除して人影数を正確に認定することができる。」
「【０１０２】
（５）前記第１の実施の形態では、人影撮影手段を、正面カメラ７及び天井カメラ８を含む２台のカメラにより構成し、視体積交差により人影数を認定するように構成した。これに対し、人影撮影手段を、１台の天井カメラにより構成し、その天井カメラによる撮影画像から、背景差分により人物領域を検出し、その面積又は形状から人影数を推定するように構成してもよい。」
「【図１】
」
「【図２】
」
「【図３】
」
「【図４】
」
　
　ここで、上記記載を検討する。
　
　第一に、上記段落【０００１】【０００７】【００１９】の記載からみて、引用例１記載の発明は、所定の管理室に対する人の入退室を管理するものであり、管理室の入退口に設けられた戸としてのドアを備え、そのドアの施錠及び解錠を管理するように構成された入退室管理システムである。
　第二に、上記段落【００２２】【００２３】、及び、【図１】〜【図３】の記載からみて、引用例１記載の発明の入退室管理システムは、その正面の所定領域を撮影するようにドアの横の壁上に設けられた入退室者の身体、入退室者の顔を正面から撮影できる正面カメラと、その下方の所定領域を撮影するように入退口の前の天井に設置された入退室者の身体をその上方から撮影できる天井カメラとを備えている。
　第三に、上記段落【０００９】【００２３】【００３１】の記載、段落【０１０２】の「（５）前記第１の実施の形態では、人影撮影手段を、正面カメラ７及び天井カメラ８を含む２台のカメラにより構成し、視体積交差により人影数を認定するように構成した。これに対し、人影撮影手段を、１台の天井カメラにより構成し、その天井カメラによる撮影画像から、背景差分により人物領域を検出し、その面積又は形状から人影数を推定するように構成してもよい。」との記載、及び、【図４】の記載からみて、引用例１記載の発明の入退室管理システムは、ドア用制御端末装置を有し、このドア用制御端末装置は、ドア用カードリーダによりＩＤカードの本人情報が読み取られたとき、その本人情報に対応する身体情報としての顔情報をデータベースから検索し、その検索された顔情報と正面カメラにより撮影された顔情報とを照合して本人を確認すると共に、天井カメラによる撮影画像から、背景差分により人物領域を検出し、その面積又は形状から人影数を推定し、上記顔情報の照合結果が一致し、且つ、上記認定された人影が一つであることにより入退室者が本人一人であることを判断したとき、ドアを解錠するためにドア用電磁錠を制御するように構成されているものである。
　
　したがって、引用例１には以下の発明（以下「引用発明１」という。)が記載されている。
　
「所定の管理室に対する人の入退室を管理するものであり、管理室の入退口に設けられた戸としてのドアを備え、そのドアの施錠及び解錠を管理するように構成された入退室管理システムであって、
　その正面の所定領域を撮影するようにドアの横の壁上に設けられた入退室者の身体、入退室者の顔を正面から撮影できる正面カメラと、
　その下方の所定領域を撮影するように入退口の前の天井に設置された入退室者の身体をその上方から撮影できる天井カメラと、
　ドア用カードリーダによりＩＤカードの本人情報が読み取られたとき、その本人情報に対応する身体情報としての顔情報をデータベースから検索し、その検索された顔情報と正面カメラにより撮影された顔情報とを照合して本人を確認すると共に、天井カメラによる撮影画像から、背景差分により人物領域を検出し、その面積又は形状から人影数を推定し、上記顔情報の照合結果が一致し、且つ、上記認定された人影が一つであることにより入退室者が本人一人であることを判断したとき、ドアを解錠するためにドア用電磁錠を制御するドア用制御端末装置とを備えた、
　入退室管理システム」
　
３．２．引用例２
　原査定の拒絶の理由に引用された国際公開第２００７／００８７１５号(以下「引用例２」という。)には図面と共に以下の記載がある。(参考として、ファミリーである特表２００９−５０００４２号公報の対応箇所の記載を括弧内に併記する。)
　
“[0050] The system and methods of the present invention can automatically monitor the motion of one or more targets of interest (as referred to herein, a target is any test subject of interest, for example an experimental laboratory animal of interest or a feature point on the body of a laboratory animal of interest) in 3-D space and provide corresponding quantitative analyses of key motion parameters in 6 DOF. By using the stereo monitoring system of the invention, target motion is tracked and analyzed in an extended 3-D space containing at least six DOFs instead of in the 2-D space with only three DOFs of conventional 2-D video tracking systems. In a preferred embodiment, the system of the invention comprises an actual camera and at least one virtual camera. A stereo pair may be formed between any two of the cameras, and the system may comprise one or more stereo pairs. Actual cameras include, but are not limited to, a digital video camera, or an analog video camera with a frame grabber digitizer. Virtual cameras include, but are not limited to, the reflections of the actual camera in reflective planar mirrors, and synchronized cameras that are real cameras which are synchronized with the actual camera by software or customized hardware. In a preferred embodiment, the virtual camera is formed by reflecting the actual camera into a planar mirror. The use of planar mirrors eliminates the need for synchronization and provides the benefit of low system cost. In addition, space can be saved by employing planar mirrors for virtual cameras due to the reflective properties of mirrors. When the virtual cameras of the system are formed by reflecting the actual camera into mirrors, the system is a catadioptric stereo system.”
（『【００１３】
　本発明のシステム及び方法は、３−Ｄ空間内の対象となる１つ又は複数のターゲット（本明細書において「ターゲット」と呼ばれるものは、任意の試験対象物、たとえば、対象となる実験動物又は対象となる実験動物の体の上にある特徴点である）の運動を自動的にモニタし、６ＤＯＦにおいて重要な運動パラメータの対応する定量的な分析を提供することができる。本発明のステレオモニタリング・システムを用いることによって、従来の２−Ｄビデオ追跡システムの３つのＤＯＦしかない２−Ｄ空間の代わりに、少なくとも６つのＤＯＦを含む拡張された３−Ｄ空間において、ターゲットの運動が追跡され、分析される。好ましい一実施形態では、本発明のシステムは１台の実際のカメラと、少なくとも１台のバーチャル・カメラとを備える。カメラのうちの任意の２台の間にステレオ・ペアを形成することができ、そのシステムは、１つ又は複数のステレオ・ペアを含むことができる。実際のカメラは、限定はしないが、デジタル・ビデオカメラ、又はフレーム・グラバー・デジタイザを有するアナログビデオカメラを含む。バーチャル・カメラは、限定はしないが、反射平面鏡において実際のカメラを反射したものと、同期したカメラとを含み、同期したカメラは、ソフトウエア又はカスタマイズされたハードウエアによって実際のカメラと同期しているリアル・カメラである。好ましい一実施形態では、バーチャル・カメラは、実際のカメラを平面鏡の中に反射することによって形成される。平面鏡を使用することによって、同期させる必要がなくなり、システムコストが下がるという利点が提供される。さらに、バーチャル・カメラとして平面鏡を用いることによって、鏡の反射特性に起因して、空間を節約することができる。システムのバーチャル・カメラが、実際のカメラを平面鏡の中に反射することによって形成されるとき、そのシステムは、反射屈折ステレオシステムになる。』)
“[0051] In the case of using real cameras as virtual cameras, additional approaches are required to synchronize the actual and virtual cameras. Such synchronization is to ensure multiple cameras that form stereo pairs to grab the images of same targets at the same time. The cameras may output more than one image for every frame. In this case, more pixels might be effectively devoted to the images of the targets and the targets could be view more clearly. Computation time and memory cost may increase because multiple images have to be processed in order to reconstruct the 3-D positions of the targets.”
（「【００１４】
　バーチャル・カメラとしてリアル・カメラを用いる場合、実際のカメラ及びバーチャル・カメラを同期させるために、さらなる手法が必要とされる。そのように同期させることによって、ステレオ・ペアを形成する多数のカメラが確実に、同じターゲットの画像を同時に捕らえるようにする。それらのカメラは、フレーム毎に２つ以上の画像を出力することができる。この場合、より多くのピクセルがターゲットの画像に効果的に充てられることがあり、ターゲットをさらに鮮明に視認することができる。ターゲットの３−Ｄ位置を再構成するために、多数の画像が処理されなければならないので、計算時間が長くなり、メモリコストが増加することがある。」）
“[0058] In a preferred embodiment illustrated in FIGURE 1 and FIGURE 22, the system includes an animal container (tank or cage) accommodating the targets, such as experimental animals, which serves as either an open field or a home cage/tank; an outer box acting as the environment noise shield, on which proper illumination sources are fixed, including ambient lights, UV lights, and/or backlights; one digital video camera shooting towards one transparent face of the tank, which serves as the actual camera; and one or several reflective planar mirrors, in which the images of the experimental animals can be seen by the actual camera. Virtual cameras are formed by reflecting the actual camera into each mirror. The actual and virtual cameras gaze at directions different from the axes of each other. The actual camera captures the video images of a space of interest in real time. The video images can be stored in a storage medium, or can be used to calculate the 3-D motion trajectories of the targets of interest and then disposed of. Calculating the motion trajectories in real time has several advantages: first, that the sampling frequency can be increased since no image sequence has to be saved to a computer hard disk, and second, that disk space can be saved, allowing for longer term monitoring.”
（「【００２２】
　図１及び図２２に示される好ましい一実施形態では、そのシステムは、オープン・フィールド又はホーム・ケージ／水槽のいずれかとしての役割を果たす、実験動物のようなターゲットを収容する動物コンテナ（水槽又はケージ）と；周辺光、ＵＶ光及び／又はバックライトを含む適当な照明源が固定される環境ノイズ・シールドとして振る舞う外枠と；実際のカメラとしての役割を果たす、水槽の１つの透明な面を撮影する１台のデジタル・ビデオカメラと；実験動物の画像を実際のカメラによって視認することができる、１つ又はいくつかの反射平面鏡とを備える。実際のカメラを各鏡の中に反射することによって、バーチャル・カメラが形成される。実際のカメラ及びバーチャル・カメラは、互いの軸とは異なる方向を凝視する。実際のカメラは、対象となる空間のビデオ画像をリアルタイムにキャプチャする。そのビデオ画像は記憶媒体に格納することができるか、又は対象となるターゲットの３−Ｄ運動軌跡を計算するために用いられ、その後、破棄することができる。運動軌跡をリアルタイムに計算することは、いくつかの利点を有する。第一に、画像シーケンスがコンピュータハードディスクに保存される必要がないので、サンプリング周波数を高めることができ、第二に、ディスク空間を節約することができ、それにより、長期にモニタリングできるようになる。」）
“
”
　
　引用例２の上記段落[0050][0051][0058]及びFigure 1を検討すると、引用例２には「実際のカメラを平面鏡の中に反射することによって形成されたバーチャル・カメラを用い、一つのカメラで同一の物体を複数の別の方向から撮影することにより、画像を同期させて画像処理させる必要がなくなり、システムコストが下がるという利点が提供される、ステレオモニタリング・システム」(以下「引用発明２」）が記載されているといえる。
　
４．対比
　本願発明と引用発明１を対比する。
　
[所定の出入口の近傍領域を第１方向から撮影するカメラ] 
　引用発明１の「入退口」と本願発明の「所定の出入口」が一致する。また、引用発明１の「正面カメラ」は「入退室者の身体」を撮影するものであり、撮影される時点では「入退室者の身体」は「入退口」の近傍に存在しているから、引用発明１において「正面カメラ」が撮影する「入退室者の身体」は、本願発明の「所定の出入口の近傍領域」に相当する領域に存在するといえ、結局、引用発明１の「正面カメラ」は本願発明の「所定の出入口の近傍領域」に相当する領域を撮影しているといえる。そして、引用発明１の「正面カメラ」は、「入退室者の身体、入退室者の顔を正面から撮影」するために、入退室者の身体、入退室者の顔の正面が写る方向から撮影しており、この方向が、本願発明の「第１方向」と一致する。
　したがって、引用発明１の「正面カメラ」と本願発明の「所定の出入口の近傍領域を第１方向から撮影するカメラ」が一致する。
　
[前記カメラの画角内において、前記第１方向とは異なる第２方向から前記出入口の近傍領域が映るように配置された鏡] 
　引用発明１の「天井カメラ」は「入退室者の身体」を撮影するものであり、撮影される時点では「入退室者の身体」は「入退口」の近傍に存在しているから、引用発明１において「天井カメラ」が撮影する「入退室者の身体」は、本願発明の「前記出入口の近傍領域」に相当する領域に存在するといえ、結局、引用発明１の「天井カメラ」は本願発明の「前記出入口の近傍領域」に相当する領域を撮影しているといえる。また、引用発明１の「天井カメラ」は「入退室者の身体」が存在する「その下方の所定領域」を撮影するために、この下方の所定領域が写る方向から撮影しており、この方向は「正面カメラ」が撮影する「その正面の所定領域」が写る方向とは異なる方向であるから、この方向と本願発明の「第２の方向」が一致する。
　そうすると、引用発明１の「天井カメラ」と本願発明の「鏡」は「前記第１方向とは異なる第２方向から前記出入口の近傍領域が映るように配置され」ている手段である点で共通している。
　しかし、この「手段」が、引用発明１では「天井カメラ」であるのに対し、本願発明では「鏡」である点、および、本願発明の「鏡」は「カメラ（正面カメラ）の画角内において、配置」されている点で相違する。
　
[前記カメラによって撮影された映像内の前記鏡に映し出された第１映像に基づいて、前記出入口を通行する人物が一か複数かを判定する処理部] 
　引用発明１の「入退室者」と本願発明の「出入口を通行する人物」が一致するから、引用発明１の「ドア用制御端末装置」と本願発明の「処理部」は、出入口を通行する人物が一か複数かを判定する点で共通している。
　また、本願発明の「鏡」が「前記カメラの画角内において、前記第１方向とは異なる第２方向から前記出入口の近傍領域が映るように配置された鏡」であることを考えると、「鏡に映し出された第１映像」とは「前記第１方向とは異なる第２方向から映した前記出入口の近傍領域」の映像であるから、結局、引用発明１の「ドア用制御端末装置」と本願発明の「処理部」は、前記第１方向とは異なる第２方向から映した前記出入口の近傍領域の映像に基づいて判定している点で共通している。
　
　しかし、この「前記第１方向とは異なる第２方向から映した前記出入口の近傍領域の映像」について、本願発明の「処理部」では「前記カメラによって撮影された映像内の前記鏡に映し出された第１映像」であるのに対し、引用発明では「入退口の下方の所定領域を撮影するように構成され、入退室者の身体をその上方から撮影できる天井カメラ」による映像である点で相違している。
　
[通行監視システム] 
　引用発明１の「入退室管理システム」は「所定の管理室に対する人の入退室を管理するものであり、管理室の入退口に設けられた戸としてのドアを備え、そのドアの施錠及び解錠を管理するように構成された」ものであって、「所定の管理室に対する人の入退室を管理する」ことは通行を監視することということができるから、引用発明１の「入退室管理システム」は本願発明における「通行監視システム」に対応する。
　
　したがって、本願発明と引用発明１との一致点、相違点は次のとおりであると認められる。
　
[一致点]
「所定の出入口の近傍領域を第１方向から撮影するカメラと、
　前記第１方向とは異なる第２方向から前記出入口の近傍領域が映るように配置されている手段と、
　前記第１方向とは異なる第２方向から映した前記出入口の近傍領域の映像に基づいて前記出入口を通行する人物が一か複数かを判定する処理部と
を備える、通行監視システム」
　
 [相違点]
　上記「前記第１方向とは異なる第２方向から前記出入口の近傍領域が映るように配置されている手段」が、本願発明では「カメラの画角内において、配置」されている「鏡」であるのに対して、引用発明１では「天井カメラ」であり、そのため、本願発明の「処理部」は「前記カメラによって撮影された映像内の前記鏡に映し出された第１映像」を用いているのに対して、引用発明１の「ドア用制御端末装置」は「天井カメラ」の映像を用いている点。
　
５．判断
　ここで、できるだけ部品を省略して、システムコストを下げようとすることは、画像処理の分野に限らず一般的な課題であると認められるから、引用発明１において、例えば、その「正面カメラ」「天井カメラ」のいずれかを省略し、システムコストを下げようとすることは、当業者が検討すべき技術的課題にすぎない。
　次に、上記したように引用発明２は「実際のカメラを平面鏡の中に反射することによって形成されたバーチャル・カメラを用い、一つのカメラで同一の物体を複数の別の方向から撮影することにより、画像を同期させて画像処理させる必要がなくなり、システムコストが下がるという利点が提供される、ステレオモニタリング・システム」である。更に、このようにバーチャル・カメラを用いることによって、実際のカメラの数を減らすことができ、それによっても、システムコストを下げることができることは、引用例２には明示的な記載はないものの、当業者には明らかなことであると認めることができる。
　そして、上記したようにシステムコストを下げようとすることは、一般的な課題であると認められるから、システムコストが下がるという利点が提供される引用発明２を採用し、引用発明１における「正面カメラ」と「天井カメラ」のうち「天井カメラ」をバーチャル・カメラとしての「鏡」に置き換え、「正面カメラ」を「鏡」の中に反射、すなわち、『正面カメラの画角内において、「鏡」を配置』させ、システムコストが下げようとすることは、当業者が容易に想到できることである。
　
　また、本願発明の効果についてみても、当業者が当然に予測し得る程度のものにすぎず、格別顕著なものがあるとはいえない。
　
　したがって、本願発明は、引用発明１，２に基づいて当業者が容易に発明できたものである。
　
６．むすび
　以上のとおり、本願発明は、引用例１，２に記載された発明に基づいて当業者が容易に発明をすることができたものであるから、特許法第２９条第２項の規定により特許を受けることができない。
　したがって、本願は他の請求項に係る発明について特に検討するまでもなく拒絶されるべきものである。
　
　よって、結論のとおり審決する。